(57)【要約】【課題】ブレードに付着した雨滴が屋内に向かう気流に乗り、屋内に浸入するという課題があった。【解決手段】送風路に接続するための屋内側開口と、屋内側開口を含む平面に対して略垂直平面上に配置され鉛直下方に向けて開口する屋外側開口と、屋内側開口と屋外側開口とを接続し、第１側面部材と、第１側面部材に対向する第２側面部材と、第１側面部材と第２側面部材とに隣接する前方部材と、前方部材に対向し前方部材よりも平面側に配置される後方部材と、を有する管状の通気路と、通気路内部に設けられ屋外側開口からの雨滴の浸入を防止するブレードと、を備え、ブレードは、部材間を渡し、屋外側開口から屋内側開口への風の流れに対して防雨平面を平行または略平行に配置された板状部材と、板状部材の室内側開口側または室外側開口側の少なくとも一方の端辺に端辺とは逆方向に向けて折り曲げられた折曲部と、を備えた通気口部材。【選択図】図６
2019158223.tif 000002
【特許請求の範囲】
【請求項１】
送風路に接続するための屋内側開口と、
前記屋内側開口を含む平面に対して略垂直平面上に配置され鉛直下方に向けて開口する屋外側開口と、
前記屋内側開口と前記屋外側開口とを接続し、第１側面部材と、前記第１側面部材に対向する第２側面部材と、前記第１側面部材と前記第２側面部材とに隣接する前方部材と、前記前方部材に対向し前記前方部材よりも前記平面側に配置される後方部材と、を有する管状の通気路と、
前記通気路内部に設けられ前記屋外側開口からの雨滴の浸入を防止するブレードと、を備え、
前記ブレードは、
前記部材間を渡し、前記屋外側開口から前記屋内側開口への風の流れに対して防雨平面を平行または略平行に配置された板状部材と、
前記板状部材の前記屋内側開口側または前記屋外側開口側の少なくとも一方の端辺に端辺とは逆方向に向けて折り曲げられた折曲部と、
を備えた通気口部材。
【請求項２】
前記折曲部は、
前記板状部材の前記屋内側開口側の端辺に、鉛直下方に向けて折り曲げられた請求項１記載の通気口部材。
【請求項３】
前記折曲部は、
前記板状部材の前記屋外側開口側の端辺に、鉛直上方に向けて折り曲げられた請求項１記載の通気口部材。
【請求項４】
前記通気路は、
前記前方部材側に比して前記後方部材側の防雨能力を高めて前記ブレードを配置した請求項１から３のいずれかに記載の通気口部材。
【請求項５】
前記通気路は、
前記後方部材側に比して前記前方部材側の送風抵抗を低めて前記ブレードを配置した請求項１から４のいずれかに記載の通気口部材。
【請求項６】
前記部材間は、前記第１側面部材と前記第２側面部材との間である請求項１から５のいずれかに記載の通気口部材。
【請求項７】
前記部材間は、前記前方部材と前記後方部材との間である請求項１から５のいずれかに記載の通気口部材。
【請求項８】
前記部材間は、前記前方部材と前記第１側面部材、及び／又は前記後方部材と前記第２側面部材である請求項１から５のいずれかに記載の通気口部材。
【請求項９】
前記第１側面部材は、
前記ブレードの一端部を固定する固定部Ａを備え、
前記第２側面部材は、
前記ブレードの逆端部を固定する固定部Ｂを備え、
前記固定部Ａと前記固定部Ｂとは、
前記ブレードの配置向きを所定方向に固定するための非対称形状を備えた請求項６記載の通気口部材。
【請求項１０】
前記防雨能力を高めたブレードの配置は、
複数の前記ブレードを前記前方部材側よりも前記後方部材側に偏らせて配置した請求項４記載の通気口部材。
【請求項１１】
前記防雨能力を高めたブレードの配置は、
複数の前記ブレードについて隣接するブレード間の距離を、前記前方部材側よりも前記後方部材側の方が短く配置した請求項４または１０に記載の通気口部材。
【請求項１２】
前記防雨能力を高めたブレードの配置は、
複数の前記ブレードについて前記防雨平面の前記風の流れに対する角度を、前記前方部材側よりも前記後方部材側の方が大きく配置した請求項４、１０、１１のいずれかに記載の通気口部材。
【発明の詳細な説明】
【技術分野】
【０００１】
本発明は、通気路内への雨滴の浸入を抑制するブレードを備えた通気口部材に関するものである。
【背景技術】
【０００２】
従来、送風路に接続する通気筒の内部に分離板や反射板を設け、浸入しようとする雨滴を分離板や反射板に衝突させることで、通気筒内部への雨滴の浸入を防いでいた。
【先行技術文献】
【特許文献】
【０００３】
【特許文献１】実開昭４８−１０７２４０号公報
【発明の概要】
【発明が解決しようとする課題】
【０００４】
このような従来の分離板や反射板においては、数を配置すれば雨滴の浸入を強固に防止できるが、通気筒内の空気の流れに対して抵抗となる。このため、空気の流れに対して可能な限り逆らわず、圧損を最小限に抑えて効率よく雨滴の浸入を抑制する構造が望まれている。
【０００５】
そこで本発明は、上記従来の課題を解決するものであり、効率よく雨滴の浸入を抑制することができる通気口部材を提供することを目的とする。
【課題を解決するための手段】
【０００６】
そして、この目的を達成するために、本発明に係る通気口部材は、送風路に接続するための屋内側開口と、屋内側開口を含む平面に対して略垂直平面上に配置され鉛直下方に向けて開口する屋外側開口と、屋内側開口と屋外側開口とを接続し、第１側面部材と、第１側面部材に対向する第２側面部材と、第１側面部材と第２側面部材とに隣接する前方部材と、前方部材に対向し前方部材よりも平面側に配置される後方部材と、を有する管状の通気路と、通気路内部に設けられ屋外側開口からの雨滴の浸入を防止するブレードと、を備え、前記ブレードは、部材間を渡し、屋外側開口から屋内側開口への風の流れに対して防雨平面を平行または略平行に配置された板状部材と、板状部材の屋内側開口側または屋外側開口側の少なくとも一方の端辺に端辺とは逆方向に向けて折り曲げられた折曲部と、を備えているものであって、これにより所期の目的を達成するものである。
【発明の効果】
【０００７】
本発明によれば、効率よく雨滴の浸入を抑制する通気口部材を提供することができる。
【図面の簡単な説明】
【０００８】
【図１】本発明に係る通気口部材の建物への施工状態を示す概要図。
【図２】前方部材側斜め下方より見た通気口部材斜視図。
【図３】後方部材側斜め上方より見た通気口部材斜視図。
【図４】ブレードの斜視図。
【図５】防雨平面の正面図。
【図６】通気口部材の側面断面図。
【図７】通気口部材の設置状態における側断面概略図。
【図８】通気口部材の図６における位置Ａ−Ａ’の断面図。
【図９】実施の形態３に係る通気口部材の設置状態における側断面概略図。
【図１０】実施の形態４に係る通気口部材の設置状態における側断面概略図。
【発明を実施するための形態】
【０００９】
以下、本発明の実施の形態について図面を参照しながら説明する。なお、以下の実施の形態は、本発明を具体化した一例であって、本発明の技術的範囲を限定するものではない。また、全図面を通して、同一の部位については同一の符号を付して二度目以降の説明を省略している。
【００１０】
（実施の形態１）
以下、図１、図２、図３を用いて本発明に係る通気口部材１について説明する。なお、図１は、通気口部材１の建物への施工状態を示す概要図、図２は、前方部材側斜め下方より見た通気口部材斜視図、図３は、後方部材側斜め上方より見た通気口部材斜視図である。
【００１１】
通気口部材１は、ビルや工場などの建物の外壁面２４等に取り付けられ、つまり屋外２１に配置される。通気口部材１は、外壁面２４近傍にて、外壁面２４を屋内２０側に貫通して設置される側通気用のダクト２５の一端に接続される。通気口部材１は、例えばダクト２５の他端に設置された送風機２６による、屋外２１から屋内２０への送風により発生した気流２７を通過させる。つまり通気口部材１は、屋外２１から屋内２０への風路の一部である通気路６を構成する。
【００１２】
通気口部材１は、第１側面部材２と、第２側面部材３と、前方部材４と、後方部材５と、通気路６とを備える。
【００１３】
第１側面部材２は、通気口部材１の一側面を形成する。本実施の形態においては、第１側面部材２は、図１における紙面に平行な面であって、手前側に位置する面を構成する部材と定義する。第１側面部材２は、本実施の形態においては、図１における上方向（風の流れにおける下流側の位置）に金属板２ａ、下方向（風の流れにおける上流側の位置）に金属板２ｂを備え、上下方向に２つの金属板を接続して構成される。第１側面部材２は、後述のブレード１０を固定（ネジ止め）するための固定部Ａ１６を複数備えている。
【００１４】
第２側面部材３は、第１側面部材２に対向する位置に、第１側面部材２と同一形状で並列配置して設けられる。第２側面部材３は、第１側面部材２と同様、上方向に金属板３ａ、下方向に金属板３ｂを備え、上下方向に２つの金属板を接続して構成される。第２側面部材３は、後述のブレード１０を固定（ネジ止め）するための固定部Ｂ１７を複数備えている。
【００１５】
固定部Ａ１６と固定部Ｂ１７とは、後述の前方部材４方向からみて左右に非対称形状を有するが、詳細は後述する。
【００１６】
前方部材４は、第１側面部材２と第２側面部材とに隣接して設けられる。本実施の形態では、前方部材４は、図１における左側、つまり外壁面２４よりも遠方側にて第１側面部材２と第２側面部材３とに隣接する。前方部材４は、金属板２ｂ及び金属板３ｂに隣接する金属板４ｂと、金属板２ａ及び金属板３ａに隣接する金属板４ａを備える。
【００１７】
金属板４ａは、一枚の金属板を二箇所で折り曲げて形成され、金属板４ｂに接続する一端と、当該一端とは逆側の他端とは、折り曲げにより９０度の角度を有して延伸している。他端側の面は通気口部材１の上部に位置し、天面を形成する。また、一端側の面は前面に位置する。金属板４ａの一端側の面と他端側の面に挟まれる中間面は、鉛直方向の上方に向かうにつれて外壁面２４側に向かう傾斜を有することで、通気路６における気流の向きの変更による圧損を抑制する。
【００１８】
後方部材５は、前方部材４における金属板４ｂに対向して設けられ、すなわち外壁面２４側に、当該外壁面２４に平行して設けられる。言い換えると、後方部材５は前方部材４よりも後述の屋内側開口２２を含む平面側に配置される。
後方部材５は、外壁面２４側にて金属板２ｂと金属板３ｂとに隣接する。後方部材５は、上方向側端部が外壁面２４に向かって９０度折り曲げられており、この折り曲げられた面が金属板２ａと金属板３ａとに隣接する。
【００１９】
通気路６は、上述の部材、つまり第１側面部材２と、第２側面部材３と、前方部材４と、後方部材５とに囲まれた管状の空間である。通気路６は、空気の流れにおける下流側の端部に屋内側開口２２と、上流側の端部に屋外側開口２３とを備える。通気路６は、内部に固定部Ａ１６と固定部Ｂ１７とにより固定されるブレード１０を備える。
【００２０】
屋内側開口２２は、外壁面２４に位置するダクト２５の一端、つまり屋内側開口２２と同程度の開口に接続し、外壁面２４に密着して固定される。つまり、屋内側開口２２が属する平面は、外壁面２４と略同一平面上に位置する。
【００２１】
屋外側開口２３は、通気口部材１の設置状態において鉛直下方に向いて開口する。つまり、屋内側開口２２を含む平面に対して略垂直平面上に屋外側開口２３が配置される。ここで略垂直平面とは、完全な垂直である必要は無く、風を取り込むため、或いは異物や雨滴の浸入を抑制するために一定の角度で傾斜しても良いことを意味する。本実施の形態では、図１に示すように、屋外側開口２３は後方部材５から前方部材４方向に近づくにつれて漸次下方に傾斜する傾斜構造を備える。屋外側開口２３は、開口近傍にフィルター７を備えている。
【００２２】
フィルター７は、通気路６の内部であって、ブレード１０の上流側に設けられる。フィルター７は、虫や鳥等、異物の通気路６内への浸入を防止するための例えば金網であり、異物の浸入を防止するための適度な粗さの網目を有する。
【００２３】
続いて、図４を参照しながらブレード１０の構成詳細について説明する。なお、図４は、ブレード１０の斜視図、図５は、防雨平面１１ａの正面図である。
【００２４】
ブレード１０は、板状部材１１と、固定部１８と、折曲部１２とを備える。
【００２５】
板状部材１１は、矩形板状であり、例えば金属製である。板状部材１１は、板状における平面が防雨平面１１ａを構成する。なお、板状における表面と裏面とのどちらの面が防雨平面１１ａになるかは、通気路６に対してどのように配置するかで異なり、場合によっては両面が防雨平面１１ａになるが、詳しくは後述する。板状部材１１は、長辺の長さが、対向する部材の距離、例えば、第１側面部材２と第２側面部材３との距離、または、前方部材４と後方部材５との距離とほぼ一致する。また、板状部材１１を隣接する部材である例えば第１側面部材２と前方部材４、或いは第２側面部材３と後方部材５と、等を渡して配置する場合には、その配置位置に合わせて構成される。板状部材１１は、短辺の長さは任意であり、通気路６内に配置した際の雨滴の浸入防止と圧損との兼ね合いで決定される。つまり、詳しくは後述するが、本実施の形態においては、便宜上、部材間を渡す辺を長辺とし、通気路６の風の流れ方向に沿って配置される辺、言い換えると上流側から下流側に向けて配置される辺を短辺としているが、長さの点で逆転することも有り得る。
【００２６】
固定部１８は、長辺の一端側に設けられる固定部１８ａと、長辺の他端側に設けられる固定部１８ｂとを備える。固定部１８は、板状部材１１の長辺における両端に、防雨平面１１ａに対して例えば９０度の角度を持たせて折り曲げて構成される。固定部１８の折り曲げ方向は任意であるが、便宜上、図４において表面側に折り曲げられているものとする。つまり、図４にて表されている面は裏面と定義することができる。固定部１８は、１つの固定部に対して複数の固定孔１３を備える。
【００２７】
固定孔１３は、固定部１８を各部材にネジ止めするためのネジ孔として機能する。固定孔１３は、本実施の形態では、１つの固定部１８に対して２個の固定孔１３が設けられている。固定孔１３は、２つの固定部１８において、対称位置には設けられず、上下位置をずらした非対称形状を有する。具体的には、例えば、図５に示すように、固定部１８ａに設けられた２つの固定孔から板状部材１１の長辺と平行に引いた線をそれぞれ線１６Ａ、線１６Ｂとする。また、固定部１８ｂに設けられた２つの固定孔から板状部材１１の長辺と平行に引いた線をそれぞれ線１７Ａ、線１７Ｂとする。このとき、線１６Ａと線１６Ｂ、線１７Ａと線１７Ｂは、それぞれ防雨平面１１ａの短辺における上下方向の中心線１４に対し非対称に形成される。また、線１６Ａと線１７Ａ、線１６Ｂと線１７Ｂはそれぞれ防雨平面１１ａの長辺における中心線１５に対し非対称に形成される。
【００２８】
折曲部１２は、板状部材１１の短辺、言い換えると風の流れに対して上流端部（屋外側開口２３側）に位置する上流辺と、下流端部（屋内側開口２２側）に位置する下流辺の少なくとも一方に設けられる。折曲部１２は、平面Ａ３０と平面Ｂ３１とで構成される。
【００２９】
平面Ａ３０は、板状部材１１の上流端部又は下流端部に接続し、防雨平面１１ａに対して９０度の角度で折り曲げられる。
【００３０】
平面Ｂ３１は、平面Ａ３０の、板状部材１１に接続される辺とは逆側に接続し、図４においては板状部材１１、つまり防雨平面１１ａに対して０度（平行）に折り曲げられる。
【００３１】
折曲部１２の折り曲げ方向について言い換えると、上流辺に設けられた折曲部１２は、平面Ｂ３１が、上流辺とは逆方向、つまり下流側に向くように折り曲げられる。
【００３２】
本実施の形態では、折曲部１２の平面である平面Ｂ３１は、板状部材１１の平面に対して０度（平行）としたが、０度以上、９０度未満の角度を有するようにしてもよい。
【００３３】
続いて、図６を参照しながらブレード１０の配置詳細について説明する。なお、図６は、通気口部材１を第１側面部材２に平行な面から見た側面断面図である。
【００３４】
ブレード１０は、通気路６内部に、板状部材１１が第１側面部材２と第２側面部材３との間を渡して配置される。さらに具体的には、板状部材１１は、屋外側開口２３側に位置する金属板２ｂと金属板３ｂとの間を渡して配置される。ここで、「渡す」とは、通気路６を横断して２つの部材を接続することを意味する。ブレード１０は、前方部材４側から後方部材５側にかけて、複数個、防雨平面１１ａが互いに平行になるように配置される。また、ブレード１０は、屋外側開口２３から屋内側開口２２に向けて流れる風の流れ３２に対して、防雨平面１１ａが平行または略平行になるように配置される。なお、「屋外側開口２３から屋内側開口２２に向けて流れる風の流れ３２に平行」とは、言い換えると、第１側面部材２、第２側面部材３、前方部材４、後方部材５に対して平行であることを意味する。
【００３５】
ブレード１０の板状部材１１が風の流れ３２に対して平行に設けられた場合、裏面及び表面の両面が防雨平面１１ａを構成する。また、図６に示すように略平行、つまり流れる風の流れ３２に対して所定の角度傾けて設けた場合、屋外側開口２３に対向する面が主に雨滴の侵入を防止するため、この面が防雨平面１１ａとなる。
【００３６】
本実施の形態においては、ブレード１０における折曲部１２は、屋内側開口２２側の短辺、つまり下流側短辺に設けられる。折曲部１２が下流側短辺に設けられることで、折曲部１２における板状部材１１とは接続しない先端部は、屋内側開口２２側の短辺とは逆方向、つまり鉛直下方向に向けて、鉛直下方向に対して傾斜を有して配置される。
【００３７】
続いて、図７を参照しながら、上記構成において、浸入する雨滴２８をブレード１０により防ぐ作用を説明する。なお図７は、通気口部材１の設置状態における側断面概略図である。
【００３８】
図７に示すように、送風機２６を運転させることで、屋外２１から屋内２０に向かう気流２７が発生する。このとき、屋外２１に雨が降り、雨滴２８が屋外側開口２３付近を通過すると、一部の小さな雨滴２８は重量が小さいため、気流２７に流され、通気口部材１の内部へ浸入する。
【００３９】
浸入した雨滴２８は、そのまま気流２７に流されるが、経路の途中にはブレード１０が設置されているため、浸入した雨滴２８の一部はブレード１０に衝突する。そして、雨滴２８の一部は、防雨平面１１ａに付着する。付着した雨滴２８は、その後、気流２７により、さらに屋内側開口２２に近づく方向、つまり、防雨平面１１ａに沿って下流方向に移動し、防雨平面１１ａの下流側端部に到達する。
【００４０】
このとき、防雨平面１１ａの下流側端部では、折曲部１２が防雨平面１１ａとは逆方向に折り曲げられている。このため、気流２７にさらに引っ張られて防雨平面１１ａから離れて屋内側開口２２に再度飛散することはない。つまり、雨滴２８は、防雨平面１１ａと折曲部１２とで形成される空間溜まる。
【００４１】
防雨平面１１ａと折曲部１２の間にある空間に多くの雨滴２８が溜まることで、雨滴２８は次第に大きな滴となり重量が大きくなる。このとき、防雨平面１１ａと折曲部１２の間にある空間は屋外側開口２３に向けて開いているため、重量が大きくなった雨滴２８は、自重により屋外側開口２３方向に落下し、フィルター７を介して屋外２１へ排出される。これにより屋内２０への雨滴２８の浸入を防ぐことができる。また、雨滴２８がフィルター７を通過する際に、フィルター７に付着した異物を内部空間から流しだすことができる。
【００４２】
なお、ブレード１０の通気路６内への配置は、例えば各々のブレードをネジ止めして行なわれる。この際、上述したように、各部材に設けられた固定部Ａ１６と固定部Ｂ１７、及びこれに対応し、ブレード１０に設けられた固定孔１３が非対称形状を有する。
【００４３】
非対称性のため、中心線１４に対しブレード１０を１８０度回転させたとき、第１側面部材２、第２側面部材３にブレード１０を取り付けることはできない。同様に、中心線１５に対しブレード１０を１８０度回転させたとき、非対称性のため第１側面部材２、第２側面部材３にブレード１０を取り付けることはできない。そのため、使用者がメンテナンスや部品交換のため、ブレード１０を着脱する際にも、方向を間違えて取り付くことがない。
【００４４】
これにより、ブレード１０の取付け方向により性能に影響が出る場合であっても、所望の性能を出せる正規の方向に確実に取り付けることが可能となる。
【００４５】
（実施の形態２）
以下、図８を用いて本発明に係る通気口部材について説明する。なお、図８は、通気口部材１の図６における位置Ａ−Ａ’の断面図である。ただし、内部のブレード１０の状態については、図８（Ａ）のみが実施の形態１に対応する。
【００４６】
実施の形態１では、図８（Ａ）に示すように、第１側面部材２と第２側面部材３との間にブレード１０を渡した通気口部材１について説明した。
【００４７】
本実施の形態では、異なる部材間でブレード１０を渡す場合について説明する。
【００４８】
図８（Ｂ）に示すように、通気口部材１ｂでは、前方部材４と後方部材５との間にブレード１０を渡している。また、図８（Ｃ）に示すように、通気口部材１ｃでは、前方部材４と第１側面部材２、及び後方部材５と第２側面部材３の間にブレード１０を渡した例である。さらに、図示はしていないが、前方部材４と第２側面部材３、及び後方部材５と第１側面部材２の間にブレード１０を渡してもよい。当然ながら、前方部材４と第１側面部材２の間のみにブレード１０を渡してもよいし、後方部材５と第２側面部材３の間のみにブレード１０を渡しても良い。
【００４９】
通気口部材は、外壁面２４に配置されるが、配置する建物によっては一定の方向からの風が恒常的に吹く場所が存在する。このような場合には、風の吹く方向に対してブレード１０の防雨平面１１ａが垂直になるように設けると、雨滴の浸入を抑制する効果が高まる。よって、本実施の形態に示すように、環境に応じて渡す先となる部材を変更することで、建物毎に適切な防雨滴効果を得ることができる。
【００５０】
なお、通気口部材１ｂにおいては、実施の形態１で示した固定部Ａ１６、固定部Ｂ１７を全周にわたって備えることで、共通の部材を利用可能となる。
【００５１】
（実施の形態３）
以下、図９を用いて本発明に係る通気口部材について説明する。なお、図９は、本実施の形態に係る通気口部材の側断面概略図である。
【００５２】
実施の形態１では、折曲部１２を、ブレード１０の下流側端部にのみ配置した場合について述べた。これに対して、本実施の形態では、折曲部１２を設ける位置についての他の例について説明する。
【００５３】
図９（Ａ）に示す例では、折曲部１２を、ブレード１０の上流側端部に、折曲部１２が防雨平面１１ａ側に向けて折り曲げられている。言い換えると、折曲部１２は、ブレード１０において、屋外側開口２３側の短辺に設けられる。折曲部１２が上流側短辺に設けられることで、折曲部１２における板状部材１１とは接続しない先端部は、屋外側開口２３側の短辺とは逆方向、つまり鉛直上方向に向けて、鉛直上方向に対して傾斜を有して配置される。
【００５４】
上述のように折曲部１２を設けることで、防雨平面１１ａに付着した雨滴が防雨平面１１ａに沿って下方に移動した場合に、折曲部１２に溜まる。折曲部１２に溜まった雨滴は例えば第１側面部材２や第２側面部材３方向に移動した後、第１側面部材２や第２側面部材３の位置から下方に滴下する。つまり、雨滴を所定の位置に集めることが可能になる。
【００５５】
図９（Ｂ）に示す例では、折曲部１２をブレード１０の下流側端部と、上流側端部とに配置している。なお、上流側端部に設けられた折曲部１２は、防雨平面１１ａの逆面方向に向けて折り曲げられ、下流側端部に設けられた折曲部１２は、防雨平面１１ａ側に向けて折り曲げられている。つまり、上流側端部に設けられた折曲部１２は、隣接するブレード１０の下流側端部に設けられた折曲部１２と対向する位置に配置される。
【００５６】
上述のように折曲部１２を設けることで、下流端部に設けられた折曲部１２から滴下した雨滴は、隣接するブレード１０の面に沿って下方に移動し、上流側端部に設けられた折曲部１２に溜められる。これによっても、折曲部１２に溜まった雨滴は例えば第１側面部材２や第２側面部材３方向に移動した後、第１側面部材２や第２側面部材３の位置から下方に滴下する。つまり、雨滴を所定の位置に集めることが可能になる。当然ながら、実施の形態１で示したように、下流側端部に設けた折曲部１２の効果により、雨滴の浸入を抑制する効果も得られる。
【００５７】
なお、前方部材４や後方部材５の端部のブレード１０、つまり図９（Ｂ）で示す右端と左端のブレード１０については、下流側端部と上流側端部にのみ、折曲部１２を設けているが、これらについても、下流側端部と上流側端部とに折曲部１２を設けても良い。
【００５８】
（実施の形態４）
以下、図１０を用いて本発明に係る通気口部材について説明する。なお、図１０は、本実施の形態に係る通気口部材の側断面概略図である。
【００５９】
本実施の形態においては、防雨能力の傾斜配置、すなわち、ブレード１０は前方部材４側に比して後方部材５側の防雨能力を高めてブレード１０を配置している。
【００６０】
具体的には、図１０（Ａ）に示すように、ブレード１０を前方部材４側よりも後方部材５側に偏らせて配置している。ここで、「偏らせて配置」とは、前方部材４側において隣接するブレード１０間の距離Ｘが、後方部材５側において隣接するブレード１０間の距離Ｙに比べて大きいことを意味する。そして複数のブレード１０が配置される場合、後方部材５から前方部材４側に向かうにつれて隣接するブレード１０間の距離が漸次広くなるように配置している。
【００６１】
また、図１０（Ｂ）に示すように、ブレード１０、つまり防雨平面１１ａの風の流れに対する角度を、前方部材４側よりも後方部材５側の方が大きくなるように配置してもよい。また、図１０（Ｂ）には、前方部材４よりも後方部材５側に向かうにつれて、板状部材１１の短辺方向の長さ（図１０（Ｂ）における上下方向）が長く構成されている。これら角度と長さは独立して構成することも可能であり、角度を異ならせる構成のみを採用しても良いし、長さを異ならせる構成のみを採用しても良いし、これらを組み合わせても良い。
【００６２】
上記構成による作用を説明する。気流２７は屋外側開口２３から通気路６に入り、屋内側開口２２に向かう。屋内側開口２２を含む平面は後方部材５側に配置されているため、気流２７に流された雨滴２８は後方部材５に近づく方向、つまり図１０においては左下から右上方向に流れていく。そのため、通気路６では前方部材４周辺に比べて、後方部材５周辺を通過する雨滴２８の量が多くなる。つまり、ブレード１０による雨滴２８の浸入を防ぐ効果は、前方部材４側に配置するよりも後方部材５側に配置する方が大きくなる。他方、前方部材４側に気流が抜けていくための空間ができるため、前方部材４側では後方部材５側に比して圧損が少なくなる。
【００６３】
従って、上記のようにブレード１０を配置することで、雨滴２８の浸入を効率よく抑制し、しかも前方部材４側にて、圧損の低下を防ぐことができる。また、ブレード１０の数を減らすことで、部品点数を少なくしコストを削減することができる。
【００６４】
上記構成は言い換えると、後方部材５側に比して前方部材４側の防雨能力を低めてブレード１０を配置していると言える。
【００６５】
上述した複数の実施の形態は、矛盾しない範囲で組み合わせて実施することができる。具体的には、ブレードを渡す部材の選択と折曲部の上流端や下流端への配置、ブレードを渡す部材の選択と防雨能力の傾斜配置、折曲部の上流端や下流端への配置と防雨能力の傾斜配置、の組み合わせは、上述の組み合わせの範囲で実施可能である。
【産業上の利用可能性】
【００６６】
本発明にかかる通気口部材は、気流の発生する経路での水の浸入を防ぐことに利用されるため、建物や車に取り付ける空調への利用などが考えられる。
【符号の説明】
【００６７】
１，１ｂ，１ｃ    通気口部材
２    第１側面部材
３    第２側面部材
４    前方部材
５    後方部材
６    通気路
７    フィルター
１０    ブレード
１１    板状部材
１１ａ    防雨平面
１２    折曲部
１３    固定孔
１４，１５    中心線
１６    固定部Ａ
１７    固定部Ｂ
１８，１８ａ，１８ｂ    固定部
２０    屋内
２１    屋外
２２    屋内側開口
２３    屋外側開口
２４    外壁面
２５    ダクト
２６    送風機
２７    気流
２８    雨滴
３０    平面Ａ
３１    平面Ｂ
【図１】
2019158223.tif 000003
【図２】
2019158223.tif 000004
【図３】
2019158223.tif 000005
【図４】
2019158223.tif 000006
【図５】
2019158223.tif 000007
【図６】
2019158223.tif 000008
【図７】
2019158223.tif 000009
【図８】
2019158223.tif 000010
【図９】
2019158223.tif 000011
【図１０】
2019158223.tif 000012